(57)【要約】【課題】  従来の青色発光ダイオードと組み合わせ太発光ダイオード設計は、装飾性、温かみに欠けるきらいがあった。本発明は、温かみのある高輝度白色を発光する白色発光ダイオード、多様な色調の高輝度発光に応ぜられる中間色発光ダイオード、を提供しようというものである。【解決手段】  ＣａＡｌＳｉＮ3結晶相中にＭｎ、Ｃｅ、Ｐｒ、Ｎｄ、Ｓｍ、Ｅｕ、Ｇｄ、Ｔｂ、Ｄｙ、Ｈｏ、Ｅｒ、Ｔｍ、Ｙｂ、Ｌｕから選ばれる１種または２種以上の元素を固溶せしめてなる、黄赤色・赤色のいずれかで発光する蛍光物質を使用し、これを緑色・黄緑色・黄色のいずれかで発光する蛍光物質と混合し、この混合蛍光体を青紫色または青色で発光する半導体発光素子と組み合わせたところにあり、この構成によって、温かみのある白色を高効率で発光する白色発光ダイオードを作製する。【選択図】  図２
2006319373.tif 000002
【特許請求の範囲】
【請求項１】
青紫色または青色で発光する半導体発光素子と、該半導体発光素子に電力を供給するための端子と、該発光素子からの発光の一部または全部を吸収し異なる波長の蛍光を発する蛍光物質とからなることを特徴とする発光デバイス。
【請求項２】
請求項1に記載の発光デバイスからなることを特徴とする照明装置。
【発明の詳細な説明】
【技術分野】
【０００１】
本発明は、照明用高輝度白色発光ダイオード、特殊装飾照明用中間色発光ダイオード、およびこれらを用いた照明器具に関する。
【背景技術】
【０００２】
近年、青色発光ダイオード素子と青色吸収黄色発光蛍光体とを組み合わせた白色発光ダイオードが盛んに研究され、特許文献を始め各種文献において提案、発表されている（例えば、非特許文献１、特許文献１ないし５参照のこと）。最近では、前記組み合わせによる照明器具、照明機器、照明装置が実用に供されている。
【０００３】
その中でも特によく用いられている蛍光体として、一般式（Ｙ，Ｇｄ）3（Ａｌ，Ｇａ）5Ｏ12：Ｃｅ3+で表され、セリウムで付活してなるイットリウム・アルミニウム・ガーネット系蛍光体が知られている。しかしながら、青色発光ダイオード素子とイットリウム・アルミニウム・ガーネット系蛍光体とから成る白色発光ダイオードは赤色成分の不足から青白い発光となる特徴を有し、演色性に偏りがみられるという問題があった。
【０００４】
一方、照明技術は、その用途や使用態様、ニーズは多様化しており、前示発光ダイオードを利用した照明技術においても色温度の高い白色だけではなく、従来の通常の照明器具にみられる各種の色温度の白色を実現することを始め、多様な色調設計が求められている。例えば、電球色と呼ばれる温かみのある白色を達成した白色発光ダイオードが求められている。このような背景から、２種の蛍光体を混合・分散させることによりイットリウム・アルミニウム・ガーネット系蛍光体では不足している赤色成分を別の赤色蛍光体で補う白色発光ダイオードが検討されている。
【０００５】
このような白色発光ダイオードが、特許文献４（「白色発光素子」）、特許文献５（「窒化物蛍光体及びその製造方法」）等において提案されている。しかしながら、これらの提案による発明においても前記課題が充分に達成されるとは言えず、多様な色彩や色度をもとめるニーズに対して充分に応えられる状況には遠く、また、発光強度の点でも不充分であり、改善すべき問題を含んでいるものであった。すなわち、特許文献４に記載された発明は、使用する赤色蛍光体がＣｄすなわちカドミウム元素を含有してなる点で難のあるものであった。近年、環境汚染の懸念から、カドミウム及びカドミウムを含む化合物は、これを使用から外し、カドミウムを含有しない物質で代替することが行なわれている。このような配慮は蛍光物質の設計においても同様の取り組みをすることが望ましいと考えられ、これを使用することは好ましいとは言えない。
【０００６】
さらに特許文献５に記載の、Ｃａ1.97Ｓｉ5Ｎ8：Ｅｕ0.03を代表例とする赤色発光蛍光体は、カドミウム等環境汚染の懸念のある元素を含まない点では問題ないが、その発光強度は不十分であり、さらなる改善が望まれているものであった。しかも、これら特許文献４、５に記載された技術思想は、専ら白色の実現についてのみ言及されているにすぎないものであった。照明技術は、その用途が多様であることは前述したとおりであり、装飾効果も求められている。そのため多彩な色調、色合いが求められており、そのため色調を調製実現する各種光源が必要とされている。すなわち、白色発光ダイオードだけではこのようなニーズ応えることができず、さらに各種中間色の発光ダイオードの実現が望まれていた。加えて、色調表現を充分にするためには、極力所望とする色調に、色度範囲を広げることが望まれていた。
【０００７】
【非特許文献１】Ｍ．Ｙａｍａｄａ  ｅｔ  ａｌ．、Ｊｐｎ．Ｊ．Ａｐｐｌ．Ｐｈｙｓ．、ｖｏｌ．４２（２００３）、ｐｐ．Ｌ２０−２３
【特許文献１】特許第２９００９２８号明細書
【特許文献２】特許第２９２７２７９号明細書
【特許文献３】特許第３３６４２２９号明細書
【特許文献４】特開平１０−１６３５３５号公報
【特許文献５】特開２００３−３２１６７５号公報
【発明の開示】
【発明が解決しようとする課題】
【０００８】
本発明は、以上述べた従来技術においては、多様な色調、色度、発光強度等の点で、さらには環境に悪影響を与える点で不都合のあるものであったところから、このような問題の無い発光ダイオード、温かみのある白色を発光する白色発光ダイオード、多様な色調の発光に応ぜられる中間色発光ダイオード、を提供しようというものである。さらに詳細に述べると、本発明は、環境汚染のおそれのない成分からなる発光効率の高い新規な赤色蛍光体を材料設計し、これを青色発光ダイオードと組み合わせ、採用することによって、温かみのある白色を発光し、高効率で発光する白色発光ダイオードを提供しようというものである。また、広い色度範囲から任意に発光色を選択可能とする中間色発光ダイオードを提供しようというものである。
【課題を解決するための手段】
【０００９】
そのため、本発明者らにおいては、鋭意研究した結果、本発明者らが先に開発し、特許出願（特願２００３−３９４８５５）した発明に係る蛍光体、すなわち、ＣａＡｌＳｉＮ3結晶相中にＭｎ、Ｃｅ、Ｐｒ、Ｎｄ、Ｓｍ、Ｅｕ、Ｇｄ、Ｔｂ、Ｄｙ、Ｈｏ、Ｅｒ、Ｔｍ、Ｙｂ、Ｌｕから選ばれる１種または２種以上の元素を固溶してなる、黄赤色・赤色のいずれかで発光する蛍光物質を使用し、この蛍光体にさらに緑色・黄緑色・黄色のいずれかで発光する蛍光物質を所定割合混合し、この混合した蛍光体に対して青紫色または青色で発光する半導体発光素子を組み合わせ、該混合した蛍光体を該半導体素子近傍に実装し、半導体発光素子に通電し発光させることによって高効率で温かみのある白色を発光する白色発光ダイオード、あるいは、広い色度範囲から任意の選択可能な色調の光を発光するダイオード、いわゆる中間色発光ダイオードを作製し、提供するのに成功したものである。
【００１０】
本発明は上記した成功と知見に基づいてなされたものであり、その講じた技術的事項は以下（１）ないし（７）に記載するとおりである。これによって前記課題を解決するのに成功した。
【００１１】
（１）  青紫色または青色で発光する半導体発光素子と、該半導体発光素子を載置するための凹部を備えかつ凹部の斜面は可視波長域光線反射面として構成された支持部材と、該半導体発光素子に電力を供給するための端子と、該発光素子からの発光の一部または全部を吸収し異なる波長の蛍光を発する蛍光物質とを少なくとも含み、該蛍光物質は少なくとも緑色・黄緑色・黄色のいずれかで発光する第一の蛍光物質Xパーセントと、黄赤色・赤色のいずれかで発光する第二の蛍光物質Yパーセントとを混合したものであって、その混合割合は０≦X＜１００かつ０＜Y≦１００かつ０＜X＋Y≦１００である可視光発光デバイスであって、該第二の蛍光物質はＣａＡｌＳｉＮ3結晶相中にＭｎ、Ｃｅ、Ｐｒ、Ｎｄ、Ｓｍ、Ｅｕ、Ｇｄ、Ｔｂ、Ｄｙ、Ｈｏ、Ｅｒ、Ｔｍ、Ｙｂ、Ｌｕから選ばれる１種または２種以上の元素が固溶してなるものであることを特徴とする発光デバイス。
【００１２】
（２）  該第二の蛍光物質は少なくともＥｕを含有していることを特徴とする前記（１）に記載の発光デバイス。
（３）  半導体発光素子として発光主波長３８０ｎｍ乃至４８５ｎｍの青色発光ダイオー
ドであり、該第一の蛍光物質は発光主波長４９５ｎｍ乃至５８５ｎｍの蛍光体粉末であり、該第二の蛍光物質は発光主波長５８５ｎｍ乃至７８０ｎｍの蛍光体粉末であり、該蛍光体粉末は混合され樹脂に分散されて該青色発光ダイオード素子を被覆するように実装されて成ることを特徴とする前記（１）または（２）に記載の任意の色を発光する発光デバイス。
【００１３】
（４）  青紫色または青色で発光する半導体発光素子と、該半導体発光素子を載置するための凹部を備えかつ凹部の斜面は可視波長域光線反射面として構成された支持部材と、該半導体発光素子に電力を供給するための端子と、該発光素子からの発光の一部または全部を吸収し異なる波長の蛍光を発する蛍光物質とを少なくとも含み、該蛍光物質は少なくとも緑色・黄緑色・黄色のいずれかで発光する第一の蛍光物質と、黄赤色・赤色のいずれかで発光する第二の蛍光物質のいずれか一方を少なくとも含む発光デバイスを、１個以上含む光源ユニットを、３ユニット以上含む照明装置であって、該発光デバイスにおける第一の蛍光物質と第二の蛍光物質との配合比が光源ユニットごとにあるいは発光デバイスごとに異なっており、部位によって発光色が異なって視認されるようにしたことを特徴とする照明装置。
【００１４】
（５）  該発光デバイスとして前記（１）項１乃至（３）項に記載の発光デバイスを使用したことを特徴とする前記（４）項に記載の照明装置。
（６）  それぞれの光源ユニットには散乱要素を含む導光部材が光学的に接続されていることを特徴とする前記（５）項に記載の照明装置。
（７）  該散乱要素は気泡から成り、該導光部材は透明樹脂製の棒状部材であることを特徴とする前記（６）項に記載の照明装置。
【発明の効果】
【００１５】
以上の特徴は、ＣａＡｌＳｉＮ3結晶相中にＭｎ、Ｃｅ、Ｐｒ、Ｎｄ、Ｓｍ、Ｅｕ、Ｇｄ、Ｔｂ、Ｄｙ、Ｈｏ、Ｅｒ、Ｔｍ、Ｙｂ、Ｌｕから選ばれる１種または２種以上の元素を固溶せしめてなる、黄赤色・赤色のいずれかで発光する蛍光物質を使用し、これを緑色・黄緑色・黄色のいずれかで発光する蛍光物質と混合し、この混合蛍光体を青紫色または青色で発光する半導体発光素子と組み合わせたところにあり、この構成によって、温かみのある白色を高効率で発光する白色発光ダイオードを作製するのに成功したものであり、奏せられる効果は極めて大きい。
【００１６】
さらにまた本発明は、前記構成によって、任意の色調を可能とし、中間色を発光する中間色発光ダイオードを作製、提供するのに成功したもので、その意義もまた、極めて大きい。これにより、従来公知の赤色蛍光体を用いた場合よりも色度範囲が広く演色性に優れたものを達成することができる等格別の効果が奏せられ、今後装飾用を始め各種用途に大いに利用され、照明技術を通じて広く産業の発展に大いに寄与するものと期待される。
【００１７】
さらにこの発光ダイオードの高い発光効率から、今後省エネルギー型照明器具の実現に直結し、格別の効果が奏せられるものと期待される。
【発明を実施するための最良の形態】
【００１８】
以下、本発明を図面、実施例等によって具体的に説明する。本明細書中において、「黄赤色・赤色のいずれかで発光する第二の蛍光物質」あるいは「ＣａＡｌＳｉＮ3結晶相中にＭｎ、Ｃｅ、Ｐｒ、Ｎｄ、Ｓｍ、Ｅｕ、Ｇｄ、Ｔｂ、Ｄｙ、Ｈｏ、Ｅｒ、Ｔｍ、Ｙｂ、Ｌｕから選ばれる１種または２種以上の元素が固溶してなる」第二の蛍光物質とは、本発明者らの開発によるものであって、すでに特許出願（特願２００３−３９４８５５）されているものである。すなわち、この「黄赤色・赤色のいずれかで発光する」、「ＣａＡｌＳｉＮ3結晶相中にＭｎ、Ｃｅ、Ｐｒ、Ｎｄ、Ｓｍ、Ｅｕ、Ｇｄ、Ｔｂ、Ｄｙ、Ｈｏ、Ｅｒ、Ｔｍ、Ｙｂ、Ｌｕから選ばれる１種または２種以上の元素が固溶してなる」第二の蛍光物質は、上記先の特許出願にその製造方法を開示したことによって容易に入手方法を明らかにしているが、この点は、本明細書においても後述実施例において、前記先行出願と同様、具体的にその製造方法、調製方法を容易に取得可能に開示し、明らかにしている。
【００１９】
以下に、本発明を実施例および図面に基づいて具体的に説明するが、ただし、これらの実施例は、あくまでも本発明を容易に理解するための一助として示すものであって本発明を限定する趣旨ではない。
【００２０】
まず、本発明の発光ダイオードランプの構造と作動原理について簡単に説明する。半導体青色発光ダイオード素子を用意し、この半導体発光ダイオード素子を図４に模式的に示すように凹部構造の支持部材に載置し、外部から電力を供給するための少なくとも２つの導電路を接続し、この上を透明樹脂に分散し、前記青色発光ダイオード素子から発せられた光を吸収して緑色、および赤色等異なる波長の蛍光を発する第１および第２の蛍光体を被覆し、実装する。この図４に示される発光ダイオードランプは、その外観形状から砲弾型と称されるものである。
【００２１】
図１は、上記作製した発光ダイオードランプに通電し、発光させた場合の発光スペクトルを示すＣＩＥのＸＹＺ表色系の色度図（ＪＩＳZ８７０１参照）である。この図において、Ｂ点（▲）は、青色発光ダイオード素子の発光の色度座標である。Ｇ点（●）は、青色光で励起され緑色の発光を示す第一の蛍光物質の色度座標である。Ｒ点（◆）は、青色光で励起され赤色の発光を示す第二の蛍光物質の色度座標である。因みに特許文献４では、この青・緑・赤の混合により（ｘ，ｙ）が０．２１≦ｘ≦０．４８、０．１９≦ｙ≦０．４５の範囲の白色を得る技術について開示しているが、実際には特許文献４の技術によりＢ、Ｇ、Ｒの３座標点を結んで形成される三角形の内側の任意の中間色の発光を得ることが可能である。
【００２２】
本発明では、上記発光スペクトルに説明した原理により各種の白色及び多彩な中間色の発光ダイオードを達成することができる。なお、本発明の特徴は、実質的には第二の蛍光物質に新規な材料を用いたことによって、高輝度発光が可能となったものである。この第二の蛍光物質は、本発明者らの発明による先の特許出願（特願２００３−３９４８５５）に係るものであり、Ｅｕで付活させたＣａＡｌＳｉＮ3結晶からなる新規蛍光物質である。この第二の新規蛍光物質は従来公知の青色励起赤色発光蛍光物質と比較して高輝度であり、またより長波長での発光を示す材料である。図２及び図３に、その発光スペクトルと励起スペクトルを示す。
【００２３】
青色・緑色・赤色の混合により任意の中間色を実現するにあたり、JＩＳ  Ｚ８１１０の系統色名の一般的な色度区分を用いて説明する。青色としては、青紫色あるいは青色の範囲の光源が望ましい。単色光源とするならば波長範囲にして３８０ｎｍ乃至４８５ｎｍである。三角形の面積を広くして達成可能な色度範囲を広くする観点からは短波長であることが望ましいようにも考えられるが、実際には比視感度特性の問題から長波長のものの方が人間にとって明るく感じられるので、そのことも考慮に入れ波長を決定することになる。
【００２４】
後述する実施例では、市販されている入手の容易な青色発光ダイオード素子の中から発光中心波長４６０ｎｍのものを採用した。緑色としては、波長４９５ｎｍ乃至５５０ｎｍの緑色の範囲の蛍光物資が望ましいが、任意の中間色ではなく、温かみのある白色のみを実現しようとする実施態様においては、波長５５０ｎｍ乃至５８５ｎｍの黄緑色あるいは黄色の範囲で発光する蛍光物質であっても良い。後述する実施例では、従来公知のイットリウム・アルミニウム・ガーネット系蛍光体粉末を採用した。
【００２５】
赤色については、波長６１０ｎｍ乃至７８０ｎｍの赤色の範囲で発光する蛍光物質が望ましいが、波長５８５ｎｍ乃至６１０ｎｍの黄赤色であっても良い。本発明では赤色蛍光体としてＥｕで付活させたＣａＡｌＳｉＮ3結晶の新規物質からなる蛍光体粉末を採用した（その取得方法については後述実施例において明らかにする）。従来は青色励起で十分な輝度を示す良い赤色蛍光物質がなかった。
【００２６】
特許文献４では、図１のＲで示された色度座標も、黄赤であるかあるいは黄赤と赤との境界付近の色度である。また、特許文献５では、例えばその実施例１はｘ＝０．５８３、ｙ＝０．４０６であり、これらもやはり黄赤色である。Ｅｕで付活させたＣａＡｌＳｉＮ3結晶では、高輝度であるうえに、その発光色度も従来に無い長波長の発光による赤色となっており、本件実施例の場合にはｘ＝０．６７０、ｙ＝０．３２７である。
【００２７】
該蛍光物質を使用して製作した本発明の温かみのある白色発光ダイオードは、従来技術により作製した場合と比較して高輝度である。また、該蛍光物質を使用して製作した本発明の中間色発光ダイオードは従来の技術により製作した場合に比して、高輝度であると同時に表現可能な色度範囲が広くなっている。このように、本発明は明らかに新規性と進歩性とを有する。なお、演色性向上のために蛍光物質は３種類以上を混合しても良い。
以下、本発明をさらに実施例に基づいて具体的に説明する。
【００２８】
〔赤色蛍光体の準備〕
先ず、使用する赤色蛍光体は、先の出願に係る特願２００３−３９４８５５に記載のＣａＡｌＳｉＮ3結晶相を主体とする窒化物蛍光体粉末を使用した。その調製方法は、以下のとおりである。原料粉末は、平均粒径０．５μｍ、酸素含有量０．９３重量％、α型含有量９２％の窒化ケイ素粉末、比表面積３．３ｍ2／ｇ、酸素含有量０．７９％の窒化アルミニウム粉末、窒化カルシウム粉末、金属ユーロピュウムをアンモニア中で窒化して合成した窒化ユーロピュウムを用いた。組成式Ｅｕ0.0005Ｃａ0.9995ＡｌＳｉＮ3で示される組成が得られるように、窒化ケイ素粉末３４．０７３５重量％と窒化アルミニウム粉末２９．８７０５重量％、窒化カルシウム粉末３５．９９５６重量％、窒化ユーロピュウム粉末０．０６０４８重量％をそれぞれ秤量し、メノウ乳棒と乳棒で３０分間混合を行ない、得られた混合物を、金型を用いて２０ＭＰａの圧力を加えて成形し、直径１２ｍｍ、厚さ５ｍｍの成形体とした。
【００２９】
なお、粉末の秤量、混合、成形の各工程は全て、水分１ｐｐｍ以下酸素１ｐｐｍ以下の窒素雰囲気を保持することができるグローブボックス中で操作を行った。この成形体は窒化ホウ素製のるつぼに入れて黒鉛抵抗加熱方式の電気炉にセットした。焼成の操作は、まず、拡散ポンプにより焼成雰囲気を真空とし、室温から８００℃まで毎時５００℃の速度で加熱し、８００℃で純度が９９．９９９体積％の窒素を導入して圧力を１ＭＰａとし、毎時５００℃で１８００℃まで昇温し、１８００℃で２時間保持して行った。焼成後、得られた焼結体をメノウの乳棒と乳鉢を用いて粉末に粉砕し、ＣｕのＫα線を用いた粉末Ｘ線回折測定を行ったところ、得られたチャートからＣａＡｌＳｉＮ3結晶相であることが確認された。この粉末を、日立製作所製分光蛍光光度計Ｆ−４５００で測定し、図２に示す発光スペクトル及び図３に示す励起スペクトルを得た。
【００３０】
光度計は、ローダミンＢを参照試料として励起補正を実施し、しかる後に米国ＮＩＳＴに準拠した標準光源を用いて校正した。発光スペクトルの測定にあたっては、実施例にて用いた青色発光ダイオード素子の発光中心波長と同じ４６０ｎｍを励起波長とした。発光スペクトルは図２に示すように６５３ｎｍが発光ピーク波長となるブロードなものであった。図２の発光スペクトルから求めたCＩＥのＸＹＺ表色系色度図上の色度座標はｘ＝０
．６７０、ｙ＝０．３２７であり、主波長（ドミナント波長）は６１２ｎｍであった。これは、ＪＩＳ  Ｚ８１１０の参考付図１系統色名の一般的な色度区分で「赤」の範囲である。
【００３１】
図２で、従来公知のイットリウム・アルミニウム・ガーネット系蛍光体の発光スペクトルとの比較からも明らかなように、このＣａＡｌＳｉＮ3結晶相にＥｕを固溶させた赤色蛍光体は、波長４６０ｎｍの青色光の励起でかつてない高輝度の赤色発光を示した。図３の励起スペクトルは、発光ピーク波長である６５３ｎｍを発光モニタ波長として測定したものである。４６０ｎｍ付近を中心に大変広い波長範囲で高効率に励起できることがわかる。
【００３２】
〔緑色蛍光体の準備〕
従来公知のイットリウム・アルミニウム・ガーネット系蛍光体であって、ＣＲＴ用の緑色蛍光体として市販のものを用いた。校正したＦ−４５００で測定した発光スペクトルを図２に、励起スペクトルを図３に示す。発光スペクトルは励起波長４６０ｎｍで測定したものであり、５４３ｎｍが発光ピーク波長となるブロードなものであった。図２の発光スペクトルから求めた色度座標はｘ＝０．４２２、ｙ＝０．５４７であり、主波長５６３ｎｍであった。これは、系統色名の一般的な色度区分で「黄緑」の範囲である。図３の励起スペクトルは、発光ピーク波長である５４３ｎｍを発光モニタ波長として測定したものである。なお、緑色蛍光体は、青色で励起され緑・黄緑・黄のいずれかの色で発光するものであればこれに限られるものではない。
【００３３】
〔青色発光素子の準備〕
青色発光素子には、発光中心波長４６０ｎｍである市販の青色発光ダイオード素子を用いた。ここで使用したものは炭化ケイ素を基板とするＩｎＧａＮ半導体発光ダイオード素子で、両面に電極がある形状のものである。なお、青色発光素子は、サファイアを基板とし片面に２つの電極を有する形状の発光ダイオード素子であっても良い。また、青色で発光し各蛍光体を励起可能なものであれば、発光ダイオード以外の発光素子であっても良い。
【００３４】
以上の準備の後、本発明による白色発光ダイオードを設計構造と製作プロセスに基づいて具体的に示す。
【実施例１】
【００３５】
図４に示すいわゆる砲弾型白色発光ダイオードランプ（１）を製作した。
２本のリードワイヤ（２、３）があり、そのうち１本（２）には、凹部があり、青色発光ダイオード素子（４）が載置されている。青色発光ダイオード素子（４）の下部電極と凹部の底面とが導電性ペーストによって電気的に接続されており、上部電極ともう１本のリードワイヤ（３）とが金細線（５）によって電気的に接続されている。蛍光体は第一の蛍光体と第二の蛍光体を混合したもの（７）が樹脂に分散され、発光ダイオード素子（４）近傍に実装されている。この蛍光体を分散した第一の樹脂（６）は、透明であり、青色発光ダイオード素子（４）の全体を被覆している。凹部を含むリードワイヤの先端部、青色発光ダイオード素子、蛍光体を分散した第一の樹脂は、透明な第二の樹脂（８）によって封止されている。透明な第二の樹脂（８）は全体が略円柱形状であり、その先端部がレンズ形状の曲面となっていて、砲弾型と通称されている。
【００３６】
本実施例では、第一の蛍光体粉末と第二の蛍光体粉末の混合割合を５対２とし、その混合粉末を３５重量％の濃度でエポキシ樹脂に混ぜ、これをディスペンサを用いて適量滴下して、蛍光体を混合したもの（７）を分散した第一の樹脂（６）を形成した。得られた色度はｘ＝０．３３８、ｙ＝０．３３０であり、略白色であった。図５に実施例１の白色発光ダイオードの発光スペクトルを示す。
【００３７】
次に、この第一の実施例の砲弾型白色発光ダイオードの製造手順を説明する。  まず、１組のリードワイヤの一方（２）にある素子載置用の凹部に青色発光
ダイオード素子（４）を導電性ペーストを用いてダイボンディングし、リードワイヤと青色発光ダイオード素子の下部電極とを電気的に接続するとともに青色発光ダイオード素子（４）を固定する。次に、青色発光ダイオード素子（４）の上部電極ともう一方のリードワイヤとをワイヤボンディングし、電気的に接続する。あらかじめ緑色の第一の蛍光体粉末と赤色の第二の蛍光体粉末とを混合割合を５対２として混ぜておき、この混合蛍光体粉末をエポキシ樹脂に３５重量％の濃度で混ぜる。次にこれを凹部に青色発光ダイオード素子を被覆するようにしてディスペンサで適量塗布し、硬化させ第一の樹脂部（６）を形成する。最後にキャスティング法により凹部を含むリードワイヤの先端部、青色発光ダイオード素子、蛍光体を分散した第一の樹脂の全体を第二の樹脂で封止する。本実施例では、第一の樹脂と第二の樹脂の両方に同じエポキシ樹脂を使用したが、シリコーン樹脂等の他の樹脂あるいはガラス等の透明材料であっても良い。できるだけ紫外線光による劣化の少ない材料を選定することが好ましい。
【実施例２】
【００３８】
基板実装用チップ型白色発光ダイオードランプ（２１）を製作した。構図を図６に示す。可視光線反射率の高い白色のアルミナセラミックス基板（２９）に２本のリードワイヤ（２２、２３）が固定されており、それらワイヤの片端は基板のほぼ中央部に位置しもう方端はそれぞれ外部に出ていて電気基板への実装時ははんだづけされる電極となっている。リードワイヤのうち１本（２２）は、その片端に、基板中央部となるように青色発光ダイオード素子ダイオード素子（２４）が載置され固定されている。青色発光ダイオード素子（２４）の下部電極と下方のリードワイヤとは導電性ペーストによって電気的に接続されており、上部電極ともう１本のリードワイヤ（２３）とが金細線（２５）によって電気的に接続されている。
【００３９】
蛍光体は第一の樹脂と第二の蛍光体を混合したもの（２７）が樹脂に分散され、発光ダイオード素子近傍に実装されている。この蛍光体を分散した第一の樹脂（２６）は、透明であり、青色発光ダイオード素子（２４）の全体を被覆している。また、セラミック基板上には中央部に穴の開いた形状である壁面部材（３０）が固定されている。壁面部材（３０）は、図６に示したとおりその中央部が青色発光ダイオード素子（２４）及び蛍光体（２７）を分散させた第一の樹脂（２６）がおさまるための穴となっていて、中央に面した部分は斜面となっている。この斜面は光を前方に取り出すための反射面であって、その斜面の曲面形は光の反射方向を考慮して決定される。また、少なくとも反射面を構成する面は白色または金属光沢を持った可視光線反射率の高い面となっている。本実施例では、該壁面部材を白色のシリコーン樹脂（３０）によって構成した。壁面部材の中央部の穴は、チップ型発光ダイオードランプの最終形状としては凹部を形成するが、ここには青色発光ダイオード素子（２４）及び蛍光体（２７）を分散させた第一の樹脂（２６）のすべてを封止するようにして透明な第二の樹脂（２８）を充填している。本実施例では、第一の樹脂（２６）と第二の樹脂（２８）とには同一のエポキシ樹脂を用いた。第一の蛍光体と第二の蛍光体の混合割合、達成された色度等は、第一の実施例と略同一である。製造手順は、アルミナセラミックス基板（２９）にリードワイヤ（２２、２３）及び壁面部材（３０）を固定する部分を除いては、第一の実施例の製造手順と略同一である。
【実施例３】
【００４０】
実施例１の砲弾型発光ダイオードランプを多数個用いて、グラデーション状に発光色度が変化している装飾性の高い照明装置（４１）を実現した。模式図を図７に示す。上部の横に長い支持体（５１）は、建物の天井部に直接取り付け、あるいは鎖等でつり下げて照明装置（４１）の全体を支持するものである。支持体（５１）の内部に、発光ダイオードランプ駆動部の電気回路がおさめられており、外部に商用交流１００V電源から電力の供給を受け、発光ダイオードランプに適切な電流を流す。駆動部は、図示しない電源スイッチ及び調光ダイヤルに接続されており、手動で照明電源のＯＮあるいはＯＦＦと照明発光強度の調整とが可能となっている。支持体には複数のランプユニット（５２）が接続されている。本実施例では、９ユニットである。個々のランプユニットには、多数個の砲弾型発光ダイオードランプが設置されている。本実施例では、各ランプユニットに１８個ずつの砲弾型発光ダイオードランプを同心円状に配置した。発光ダイオードは、ユニット単位でその色度を変更して製作した。
【００４１】
中央の第５のランプユニットの搭載された１８個の発光ダイオードは第一の蛍光体と第二の蛍光体の混合割合を５対２としてその色度を第一の実施例・第二の実施例同様にｘ＝０．３４，ｙ＝０．３３の白色とした。一方の端部の第一のランプユニットは、混合割合を１２対１とし、色度座標ｘ＝０．３７，ｙ＝０．４２の黄みの白とした。もう一方の端部の第９のランプユニットは、混合割合を４対５とし、色度座標ｘ＝０．３８，ｙ＝０．３２のうすいピンクとした。中間に位置する第２、第３、第４、第６、第７、第８のランプユニットは、それぞれ段階的に混合割合を変更し、グラデーション状に色度が変化する構成とした。
【００４２】
なお、第一の蛍光体と第二の蛍光体の混合割合を変更した他に、適切な色度となるように第一の樹脂を塗布する際の塗布量を適宜調整してそれぞれの砲弾型発光ダイオードランプを製造した。それぞれのランプユニットの下部には、散乱要素を含む導光部材（５３）を配置し、これにランプユニットからの光が入射するように設置した。具体的には、適度に気泡を含む透明樹脂製の円柱状の部材を用いた。このようにして、高輝度な中間色発光ダイオードランプを用いた、オーロラをイメージした高度に装飾的な照明装置が達成された。
【産業上の利用可能性】
【００４３】
近年、青色発光ダイオード素子と蛍光体とを利用した照明用白色発光ダイオードが急拡大している。本発明は、この分野に直接利用しうることは明らかであり、従来なかった温かみのある高輝度白色照明、あるいは多様な色彩、色度設計が可能となり、所望とする中間色を創出することが可能となったことから、大いに利用されるものと期待される。
【図面の簡単な説明】
【００４４】
【図１】ＪＩＳ  Ｚ８７０１によるＸＹＺ表色系の色度図（ＣＩＥ）と本発明の色度範囲を示す図。
【図２】蛍光分光光度計で測定した第一の蛍光体と第二の蛍光体の発光スペクトル（励起波長は実施例にて用いた青色発光ダイオード素子と同じ４６０ｎｍとした）を示す図。
【図３】蛍光分光光度計で測定した第一の蛍光体と第二の蛍光体の励起スペクトル（発光モニタ波長は、それぞれの発光ピーク波長５４３ｎｍと６５３ｎｍ）を示す図。
【図４】砲弾型発光ダイオードランプとして実装した第一の実施例の模式図。
【図５】第一の実施例の発光ダイオードの発光スペクトルを示す図。
【図６】チップ型発光ダイオードランプとして実装した第二の実施例の模式図。
【図７】多数の中間色発光ダイオードを一列に設置してグラデーション状の発光を実現した装飾性の高い照明装置である第三の実施例の模式図。
【図８】図７中の照明装置のうち色度が黄みの白である第１のランプユニットの発光ダイオードランプの発光スペクトルを示す図。
【図９】図７中の照明装置のうち色度がうすいピンクである第９のランプユニットの発光ダイオードランプの発光スペクトルを示す図。
【図１】
2006319373.tif 000003
【図２】
2006319373.tif 000004
【図３】
2006319373.tif 000005
【図４】
2006319373.tif 000006
【図５】
2006319373.tif 000007
【図６】
2006319373.tif 000008
【図７】
2006319373.tif 000009
【図８】
2006319373.tif 000010
【図９】
2006319373.tif 000011